(57)【要約】【課題】防水ケースとその外側を覆う外装ケースとの間に距離がある場合において、防水ケース内に設ける発光部から外装ケースまで導光できるようにする。【解決手段】電子部品を内蔵した防水ケース２と、その防水ケース２を覆う外装ケース１と、を備え、防水ケース２の内部に発光部２６が設けられており、その発光部２６からの光を外装ケース１側まで導光する導光体１１が設けられている。発光部２６が搭載される基板２５と、防水ケース２に形成されている開口２ａとの間に、導光体１１を保持する弾性保持体１２が設けられている。導光体１１は、発光部２６を囲む凹部１１ａを基端に有して先端が突出した突出部１１ｂを有する形状に形成されて、突出部１１ｂの周囲に反射面１１ｃが形成されており、発光部２６からの光を凹部１１ａから突出部１１ｂ周囲の反射面１１ｃに複数回反射させて突出部１１ｂ先端から外装ケース１内面に導光する。【選択図】図５
2018049431.tif 000002
【特許請求の範囲】
【請求項１】
電子部品を内蔵した防水ケースと、前記防水ケースを覆う外装ケースと、を備え、
前記防水ケースの内部に発光部が設けられており、
前記発光部からの光を前記外装ケース側まで導光する導光体が設けられていることを特徴とする電子機器。
【請求項２】
前記発光部が搭載される基板と、前記防水ケースに形成されている開口との間に、前記導光体を保持する弾性保持体が設けられていることを特徴とする請求項１に記載の電子機器。
【請求項３】
前記導光体は、前記発光部を囲む凹部を基端に有して先端が突出した突出部を有する形状に形成されていることを特徴とする請求項１または２に記載の電子機器。
【請求項４】
前記導光体は、前記突出部の周囲に反射面が形成されていて、前記発光部からの光を前記凹部から前記突出部周囲の前記反射面に複数回反射させて前記突出部先端から前記外装ケース内面に導光することを特徴とする請求項３に記載の電子機器。
【請求項５】
前記弾性保持体は、前記導光体を周囲から包み込んで保持した状態で前記開口に嵌め込まれることを特徴とする請求項２から４のいずれか一項に記載の電子機器。
【請求項６】
前記弾性保持体は、前記導光体を周囲から包み込んで保持する略筒形部が前記開口に嵌め込まれていて、前記略筒型部周囲のフランジ部が前記開口の周囲を覆っていることを特徴とする請求項５に記載の電子機器。
【請求項７】
前記導光体は、前記開口の周囲にネジ止めされていることを特徴とする請求項５に記載の電子機器。
【請求項８】
前記外装ケースが、半透光性の素材により形成されていることを特徴とする請求項１から７のいずれか一項に記載の電子機器。
【請求項９】
前記防水ケースの上半部の側面に前記発光部及び前記導光部が各々左右一対配置されて、
前記左右一対の導光体は、各々の前記突出部が互いに離間する側方部に向けられており、
前記発光体からの光が前記導光体により前記半透光性素材による前記外装ケースの上部左右に拡散して目のように浮かび上がることを特徴とする請求項８に記載の電子機器。
【発明の詳細な説明】
【技術分野】
【０００１】
本発明は、電子部品を内蔵した防水ケースを覆う外装ケースを備える電子機器に関する。
【背景技術】
【０００２】
特許文献１において、防水筐体の内部に発光部を設け、防水筐体を覆うカバーの開口部に、防水筐体内部の発光部からの光を透過させる透光部材を設けた電子機器が開示されている。
【先行技術文献】
【特許文献】
【０００３】
【特許文献１】特開２０１５−２１６２１７号公報
【発明の概要】
【発明が解決しようとする課題】
【０００４】
特許文献１においては、防水筐体とカバーの二重構造となっているため、例えば防水筐体内にある発光部からの光をカバーに照らし出そうとすると、防水筐体とカバーの間に距離がある場合、光が大きく拡散し、また、防水筐体の形状を拾ってしまい、カバーに光を、例えば目の形のように投影することができない。
【０００５】
本発明の課題は、防水ケースとその外側を覆う外装ケースとの間に距離がある場合において、防水ケース内に設ける発光部から外装ケースまで導光できるようにすることである。
【課題を解決するための手段】
【０００６】
以上の課題を解決するため、本発明の電子機器は、
電子部品を内蔵した防水ケースと、前記防水ケースを覆う外装ケースと、を備え、
前記防水ケースの内部に発光部が設けられており、
前記発光部からの光を前記外装ケース側まで導光する導光体が設けられていることを特徴とする。
【発明の効果】
【０００７】
本発明によれば、防水ケースとその外側を覆う外装ケースとの間に距離がある場合において、防水ケース内に設ける発光部から外装ケースまで導光することができる。
【図面の簡単な説明】
【０００８】
【図１】本発明を適用した電子機器の一実施形態の構成を示すもので、対話型学習機を示した正面図（ａ）、背面図（ｂ）である。
【図２】図１の外装ケース内の防水ケースを示す斜視図である。
【図３】図２の防水上ケースを外した状態の図である。
【図４】図２の左側の導光体及び弾性保持体を外して斜め側方から見た拡大斜視図である。
【図５】図１（ａ）の矢印Ａ−Ａ線に沿った拡大断面図である。
【図６】図１（ａ）の矢印Ａ−Ａ線に沿った断面を含む要部拡大斜視図である。
【図７】図４の導光体及び弾性保持体を上方から見た図である。
【図８】図５から導光体及び弾性保持体を取り外した状態の要部拡大図である。
【図９】図２の左側の導光体及び弾性保持体の装着部分を拡大した斜視図である。
【図１０】図９の導光体及び弾性保持体を外して斜め下方から見た斜視図である。
【発明を実施するための形態】
【０００９】
以下、図を参照して本発明を実施するための形態を詳細に説明する。
（実施形態）
図１は本発明を適用した電子機器の一実施形態の構成として対話型学習機を示すもので、図１（ａ）は正面、図１（ｂ）は背面を示しており、この対話型学習機は、図示のように、球面形状にキャラクターデザインされている形状の外装ケース１を備える。
外装ケース１には表示部がないため、目のアイコン３と頭頂部の光インジケータ４が設けられる。
【００１０】
図２は外装ケース１内の防水ケース２を示すもので、お風呂でも使用できるＩＰｘ７の防水機構構造をとっているため、基板や各種デバイスなどの電子部品が、防水ケース２の中に配置されている。
【００１１】
外装ケース１は、図１に示すように、内面がクリーム色に塗装された半透光性素材により形成された外装上ケース１Ｕに内部から浮かび上がるような目のアイコン３と頭頂部の光インジケータ４の色が変化もしくは点滅することで、電源ＯＮ／ＯＦＦ、ＷＩＦＩ（登録商標）、ＯＮ／ＯＦＦ、音声再生などを通知する。
外装上ケース１Ｕは、外装下ケース１Ｌの上にネジ止めして取り付けられる。
【００１２】
なお、外装ケース１の外装下ケース１Ｌにマイク孔５が形成されて、その上方の外装上ケース１Ｕ部分には焦電センサカバー６が設けられ、また、外装下ケース１Ｌの背面側には各種操作キー７が設けられている。
【００１３】
防水ケース２は、図示のように、防水下ケース２Ｌに防水上ケース２Ｕを、図略の防水パッキンを挟んでネジ８で結合することで、防水構造を保っている。
【００１４】
また、外装ケース１の外装下ケース１Ｌの下方に突出する三箇所に、ゴム足９が設けられている。このゴム足９は、外装下ケース１Ｌの下方に突出して形成した三箇所の延長部１０を防水下ケース２Ｌにそれぞれネジ止めしてから、延長部１０の下面凹部に嵌め込んで取り付けられる。
【００１５】
そして、防水上ケース２Ｕの上部側面には、左右一対の導光体１１がシリコンによる弾性保持体１２で各々保持されて（図４、図７及び図１０参照）、ネジ１３でそれぞれ結合されている。
また、防水上ケース２Ｕの頭頂部内には、図示しないタッチセンサとしての静電センサ及び発光部（ＬＥＤ）が設けられている。
【００１６】
図３は防水上ケース２Ｕを外した状態を示すもので、防水下ケース２Ｌの上には、スピーカ１４、リチウムイオン電池１５などの電子部品が積載されて、リチウムイオン電池１５を包むように保持する電池ホルダ１６にメイン基板２１、焦電センサ基板２３、アイ基板２５、及びＷＩＦＩ用の通信基板２７がネジ止め等により積載されており、２４は焦電センサ、２８は通信モジュールである。
【００１７】
すなわち、スピーカ１４は、下方に向けて音声を出すもので、その音声は外装下ケース１Ｌ内に設けた図示しない開口から下方に放出される。
スピーカ１４の上にリチウムイオン電池１５が配置されて、その電池ホルダ１６の背面側にメイン基板２１が、電池ホルダ１６の上面側に焦電センサ基板２３が、電池ホルダ１６の正面側上部にアイ基板２５が、電池ホルダ１６の正面側下部に通信基板２７がそれぞれネジ止めされている。
【００１８】
このように、対話型学習機は、人感センサとしての焦電センサ２４、静電センサ、通信などの機能を持ち、さまざまなセンサが反応し、光を点灯させる。
すなわち、焦電センサ２４により人体を感知したり、マイク孔５から音声を感知したり、色が変化もしくは点滅して浮かび上がるように光インジケータ４が光る頭頂部を手で触ると、スピーカ１４から音声を発したり、浮かび上がるような目のアイコン３が光ったりする。
【００１９】
次に、図５は図１（ａ）の矢印Ａ−Ａ線に沿った拡大断面を示し、図６はその断面を含む要部拡大斜視で、図示のように、アイ基板２５に実装された左右一対のＬＥＤによる発光部２６を含む部分は、図２に点線で示したように、防水上ケース２Ｕの上部左右に形成した矩形状の開口２ａに位置し、その開口２ａに左右一対の導光体１１が取り付けられている。
【００２０】
導光体１１は、図示のように、発光部２６を含む部分を囲む凹部１１ａが基端に形成されて、図２、図４、図７及び図１０にも示すように、その凹部１１ａから先端を斜め外側に突出した突出部１１ｂが形成されている。
そして、導光体１１の凹部１１ａと突出部１１ｂ先端を除く外周部分には、メッキによる反射面１１ｃが形成されている。
なお、導光体１１の突出部１１ｂと反対側には、取付片１１ｄが形成されている。
【００２１】
以上の導光体１１は、防水パッキンを兼ねたシリコン素材による柔らかい弾性保持体１２により包み込まれるよう保持されて、図８及び図９にも拡大して示したように、防水上ケース２Ｕの上部左右に形成した開口２ａに対し弾性保持体１２を介して密着させて嵌め込むことで、防水が図られている。
【００２２】
すなわち、図２、図４、図７及び図１０に示したように、導光体１１を周囲から包み込んで保持した状態の弾性保持体１２の略筒形部１２ａを開口２ａにきっちり嵌め込んだ状態で、略筒型部１２ａ周囲のフランジ部１２ｂで開口２ａの周囲をきっちり覆って、ＬＥＤによる発光部２６の光を導光しつつ確実に防水上ケース２Ｕを防水している。
そして、導光体１１の取付片１１ｄを防水上ケース２Ｕの開口２ａの周囲にネジ１３で固定する。この固定状態で、導光体１１の発光部２６を含む部分を囲む凹部１１ａの端面がアイ基板２５に密着した状態となっている。
【００２３】
また、左右一対の導光体１１は、その間に各々の取付片１１ｄが位置して、各々の突出部１１ｂの先端が、互いに離間する側方部にそれぞれ向けて、図示のように、外装上ケース１Ｕの内側にそれぞれ近接した状態となっている。
【００２４】
以上のとおり、外装上ケース１Ｕと防水上ケース２Ｕとの間の距離があっても、その間に導光体１１を実装することにより、防水構造を保ちつつ、防水上ケース２Ｕ内の発光体２６からの光を導光体１１によって外装上ケース１Ｕに導光して投影することができる。
すなわち、先ず、導光体１１を弾性保持体１２で包んで防水上ケース２Ｕに実装することによって、防水上ケース２Ｕの開口２ａと導光体１１との間に弾性保持体１２をパッキンのように挟み込んで圧縮することによって、防水上ケース２Ｕと導光体１１の隙間を無くし、防水上ケース２Ｕ内への水の浸入を防ぐことができる。
【００２５】
また、導光体１１をアイ基板２５に密着させて発光体２６からの光を導光させることができる。
すなわち、導光体１１がアイ基板２５に対し発光部２６を包みこむことによって、光の漏れを防ぎ、背面や天面などへ光がいかない。
【００２６】
そして、発光部２６からの光が、導光体１１の中で反射し、外装上ケース１Ｕに光が投影され、それが目の形状を形作る。
具体的には、発光部２６からの光が、図５に矢印で示したように、導光体１１の凹部１１ａから外側方に向かう突出部１１ｂ周囲の反射面１１ｃにより複数回反射して、突出部１１ｂ先端から外装上ケース１Ｕの内面に導光されて、内面がクリーム色に塗装された半透光性素材による外装上ケース１Ｕの上部左右に拡散して目のように浮かび上がる。
【００２７】
このように、導光体１１とそれを囲む弾性保持体１２により発光部２６からの光が反射され、目の形状で光らすことできる。
しかも、導光体１１が外装上ケース１Ｕ、防水上ケース２Ｕと独立した部品であるため、その形状を自由に変えることができ、導光体１１の形状を変えることにより外装上ケース１Ｕに投影される光のシルエットが変化し、様々な形状・表情を具備することが可能である。
【００２８】
以上、実施形態の対話型学習機によれば、防水上ケース２Ｕ内の発光部２６からの光を外装上ケース１Ｕ側まで導光する導光体１１を設けたため、防水上ケース２Ｕとその外側の外装上ケース１Ｕとの間に距離があっても、防水上ケース２Ｕ内の発光部２６から外装上ケース１Ｕまで導光することができる。
【００２９】
（変形例）
以上の実施形態においては、対話型学習機としたが、本発明はこれに限定されるものではなく、例えば置時計など他の電子機器であってもよい。
また、防水ケース、外装ケース、発光部、導光体、弾性保持体の形状等も任意であり、その他、具体的な細部構造等について適宜に変更可能であることは勿論である。
【００３０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
電子部品を内蔵した防水ケースと、前記防水ケースを覆う外装ケースと、を備え、
前記防水ケースの内部に発光部が設けられており、
前記発光部からの光を前記外装ケース側まで導光する導光体が設けられていることを特徴とする電子機器。
＜請求項２＞
前記発光部が搭載される基板と、前記防水ケースに形成されている開口との間に、前記導光体を保持する弾性保持体が設けられていることを特徴とする請求項１に記載の電子機器。
＜請求項３＞
前記導光体は、前記発光部を囲む凹部を基端に有して先端が突出した突出部を有する形状に形成されていることを特徴とする請求項１または２に記載の電子機器。
＜請求項４＞
前記導光体は、前記突出部の周囲に反射面が形成されていて、前記発光部からの光を前記凹部から前記突出部周囲の前記反射面に複数回反射させて前記突出部先端から前記外装ケース内面に導光することを特徴とする請求項３に記載の電子機器。
＜請求項５＞
前記弾性保持体は、前記導光体を周囲から包み込んで保持した状態で前記開口に嵌め込まれることを特徴とする請求項２から４のいずれか一項に記載の電子機器。
＜請求項６＞
前記弾性保持体は、前記導光体を周囲から包み込んで保持する略筒形部が前記開口に嵌め込まれていて、前記略筒型部周囲のフランジ部が前記開口の周囲を覆っていることを特徴とする請求項５に記載の電子機器。
＜請求項７＞
前記導光体は、前記開口の周囲にネジ止めされていることを特徴とする請求項５に記載の電子機器。
＜請求項８＞
前記外装ケースが、半透光性の素材により形成されていることを特徴とする請求項１から７のいずれか一項に記載の電子機器。
＜請求項９＞
前記防水ケースの上半部の側面に前記発光部及び前記導光部が各々左右一対配置されて、
前記左右一対の導光体は、各々の前記突出部が互いに離間する側方部に向けられており、
前記発光体からの光が前記導光体により前記半透光性素材による前記外装ケースの上部左右に拡散して目のように浮かび上がることを特徴とする請求項８に記載の電子機器。
【符号の説明】
【００３１】
１  外装ケース
１Ｌ  外装下ケース
１Ｕ  外装上ケース
２  防水ケース
２Ｌ  防水下ケース
２Ｕ  防水上ケース
２ａ  開口
３  目のアイコン
４  頭頂部の光インジケータ
５  マイク孔
６  焦電センサカバー
７  各種操作キー
８  ネジ
９  ゴム足
１０  延長部
１１  導光体
１１ａ  凹部
１１ｂ  突出部
１１ｃ  反射面
１１ｄ  取付片
１２  弾性保持体
１２ａ  略筒形部
１２ｂ  フランジ部
１３  ネジ
１４  スピーカ
１５  リチウムイオン電池
１６  電池ホルダ
２１  メイン基板
２３  焦電センサ基板
２４  焦電センサ
２５  アイ基板
２６  発光部（ＬＥＤ）
２７  通信基板
２８  通信モジュール
【図１】
2018049431.tif 000003
【図２】
2018049431.tif 000004
【図３】
2018049431.tif 000005
【図４】
2018049431.tif 000006
【図５】
2018049431.tif 000007
【図６】
2018049431.tif 000008
【図７】
2018049431.tif 000009
【図８】
2018049431.tif 000010
【図９】
2018049431.tif 000011
【図１０】
2018049431.tif 000012